【手続補正書】
【提出日】平成27年8月11日(2015.8.11)
【手続補正１】
【補正対象書類名】特許請求の範囲
【補正対象項目名】全文
【補正方法】変更
【補正の内容】
【特許請求の範囲】
【請求項１】
低減された厚さを有する光学システムであって、
集光要素の１つ以上の配列と実質的に接触するがそれらの中に完全に埋め込まれるわけではない構造化画像アイコンの１つ以上の配列から構成される、合成画像表示システムを備え、
ここで、前記画像アイコンの１つ以上の配列と前記集光要素の１つ以上の配列とは、前記画像アイコンの少なくとも一部の少なくとも１つの合成画像を協働して形成し、
前記集光要素の１つ以上の配列内の集光要素の間の間隙空間は、前記少なくとも１つの合成画像の形成に寄与せず、
前記光学システムは必要に応じて転写可能である、
低減された厚さを有する光学システム。
【請求項２】
前記構造化画像アイコンは、別の材料を用いて必要に応じて充填又はコーティングされる空隙であって実質的に平面的な構造内の空隙、実質的に平面的な構造内の隆起領域、又はこれらの組み合わせから形成される、又は、
前記システムの前記厚さは、５０ミクロン未満であり、前記集光要素の１つ以上の配列内の前記集光要素の間の前記間隙空間は、約５ミクロン以下である、又は、
前記システムの前記厚さは、約１センチメートル以下であり、前記集光要素の１つ以上の配列内の前記集光要素の間の前記間隙空間は、約５ミリメートル以下である、請求項１に記載の光学システム。
【請求項３】
前記光学システムは屈折光学システムである、又は、
前記集光要素の１つ以上の配列内の前記集光要素は、１以下のｆ値と、円柱面、球面、又は非球面とを有する、又は、
前記屈折システムは、キャリア基板上に形成されるマイクロスケールシステムであり、
前記集光要素は、約５０ミクロン未満のベース直径及び焦点距離と、１以下のｆ値とを有し、
前記構造化画像アイコンは、全体の深さが約５０ナノメートル〜約８ミクロンの必要に応じて充填又はコーティングされた空隙、全体の高さが約５０ナノメートル〜約８ミクロンの隆起領域、あるいはこれらの両方から形成され、
前記マイクロスケールシステムは、約５０ミクロン未満の厚さを有し、
前記キャリア基板は、約１０〜約５０ミクロンの範囲の厚さを有する、又は、
前記システムは、
キャリア基板とレンズモールド層とから構成される微細構造含有剥離ライナーであって、前記レンズモールド層は、負レンズ形状を有する複数の空隙を有する、微細構造含有剥離ライナーと、
前記屈折光学システムであって、前記集光要素の１つ以上の配列の前記集光要素は、正レンズ形状を有し、前記微細構造含有剥離ライナーの前記レンズモールド層と密接に接触している屈折光学システムと、
強化層、シーリング層、着色又は染色層、不透明化層、又はこれらの組み合わせ、の群から選択された、省略可能な１つ以上の層と、
１つ以上の活性化可能接着剤層と、
を記載された順序で備える転写可能屈折光学システムであり、
ここで、前記屈折光学システムは前記微細構造含有剥離ライナーより高い剛性又は曲げ抵抗を有し、
前記強化層は、エネルギー硬化性アクリレートから作られ、約１〜約１０ミクロンの間の厚さを有する、請求項１に記載の光学システム。
【請求項４】
前記光学システムは、反射光学システムであり、
前記集光要素の１つ以上の配列は、完全に不透明な反射金属層、半透明の又は部分的に金属化された金属層、高屈折率層、及び蒸着された材料の複数の層、の群から選択された１つ以上の層を備え、
前記集光要素の１つ以上の配列は、蒸着された材料の複数の層を備え、蒸着された材料の前記複数の層は、金属及び誘電体層の組み合わせから形成されたカラーシフト干渉コーティングを備える、又は、
前記反射システムは、キャリア基板上に形成される凹面反射システムであり、
前記凹面反射システムは、凹面反射マイクロスケールシステムであり、
凹面反射集光要素は、約５０ミクロン未満のベース直径及び焦点距離と、１以下のｆ値とを有し、
前記構造化画像アイコンは、全体の深さが約５０ナノメートル〜約８ミクロンの必要に応じて充填又はコーティングされた空隙、全体の高さが約５０ナノメートル〜約８ミクロンの隆起領域、あるいはこれらの両方から形成され、
前記マイクロスケールシステムは、約５０ミクロン未満の厚さを有し、
前記キャリア基板は、約１０〜約５０ミクロンの範囲の厚さを有する、又は、
前記凹面反射システムは、凹面反射マクロスケールシステムであり、
凹面反射集光要素は、約１〜約１０ミリメートルの範囲のベース直径と、約２５ミクロン〜約５ミリメートルの範囲の焦点距離と、１以下のｆ値とを有し、
前記構造化画像アイコンは、全体の深さが約５センチメートル〜約１ミクロンの空隙、全体の高さが約５センチメートル〜約１ミクロンの隆起領域、あるいはこれらの両方から形成され、
前記マクロスケールシステムは、約１センチメートル以下の厚さを有し、
前記キャリア基板は、約２５ミクロン〜約５ミリメートルの範囲の厚さを有する、又は、
前記反射システムは、キャリア基板上に形成される凸面反射システムであり、ここで、各凸面反射集光要素の表面は、遠くの光源によって照らされた場合に前記表面上に明るい光点すなわち鏡面ハイライトが現れるという理由で光沢があり、
凸面反射集光要素の配列は、構造化画像アイコンの前記配列と結合された場合、遮られた及び遮られていない鏡面ハイライトのパターンを形成し、このパターンが合成画像を形成する、又は、
前記凸面反射システムは、凸面反射マクロスケールシステムであり、ここで、凸面反射集光要素の１つ以上の配列は、金属製のボールベアリングの規則的な密充填配列であり、又は、
前記システムは、
キャリア基板と剥離コーティングとから構成される剥離ライナーと、
凹面反射光学システムであって、構造化前記画像アイコンの１つ以上の配列が、前記剥離ライナーの前記剥離コーティングと接触している凹面反射光学システムと、
省略可能な１つ以上の保護コーティングと、
１つ以上の活性化可能接着剤層と、
を記載された順序で備える転写可能凹面反射光学システムである、請求項１に記載の光学システム。
【請求項５】
回折光学システムである、請求項１に記載の光学システム。
【請求項６】
対向する面を有するシート材料であって、前記シート材料の表面上に取り付けられた又は前記表面内に埋め込まれた、あるいは前記シート材料内に部分的に埋め込まれた、少なくとも１つの、請求項１に記載の光学システムを備える、シート材料。
【請求項７】
請求項６に記載のシート材料から作られた文書。
【請求項８】
消費者向け又は非消費者向け物品であって、（ａ）前記物品、又は前記物品と共に使用されるバッグ、パッケージ、又はラベルの、表面上に取り付けられた又は前記表面内に埋め込まれた、あるいは、（ｂ）前記物品、又は前記物品と共に使用されるバッグ、パッケージ、又はラベル内に部分的に埋め込まれた、少なくとも１つの、請求項１に記載の光学システムを有する、消費者向け又は非消費者向け物品。
【請求項９】
大きな寸法の画像を投射する製品であって、その表面上に取り付けられた又は前記表面内に埋め込まれた、少なくとも１つの、請求項１に記載の光学システムを備え、ここで、前記製品は、広告及びマルチメディアディスプレー、車両の外観を向上させるための製品、装飾ラップ、壁紙、シャワーカーテン、及び芸術ディスプレー、の群から選択される、大きな寸法の画像を投射する製品。
【請求項１０】
転写可能屈折光学システムを製造する方法であって、前記方法は、
キャリアフィルムに接着されたレンズモールド層を備える微細構造含有剥離ライナーを形成することと、
ここで、前記レンズモールド層は、負レンズ形状を有する複数の空隙を有する硬化性樹脂から形成され、前記負レンズ形状は、正レンズ形状を有する硬質の表面に対して前記樹脂を硬化させることによって作られ、
前記微細構造含有剥離ライナーの前記レンズモールド層上に、前記転写可能屈折光学システムを形成することであって、
前記微細構造含有剥離ライナーの前記レンズモールド層を硬質のアイコンモールドに対して配置し、前記レンズモールド層及び前記硬質のアイコンモールドの両方の中の空隙を光学機能放射線硬化性液晶ポリマーが充填し、ニップローラーを用いて圧力をかけて余分な液晶ポリマーを除外し、同時に、前記硬化性ポリマーが硬化され又は固められて前記アイコンモールドから持ち上げられることが可能なように前記液晶ポリマーを放射線に露光し、ここで、硬化された又は固められたポリマーは、その外面内の空隙から形成される構造化画像アイコンを有し、
画像アイコン空隙を、前記光学機能ポリマーとのコントラストを提供する材料を用いて充填して、充填された画像アイコン層を形成し、
１つ以上のシーリング層、強化層、着色又は染色層、不透明化層、又はこれらの組み合わせを、前記充填された画像アイコン層に必要に応じて適用し、
１つ以上の接着剤層を、必要に応じてシーリング、強化、着色／染色、及び／又は不透明化された、充填された画像アイコン層に適用する、
ことによって、前記転写可能屈折光学システムを形成することと、
を含む、方法。
【請求項１１】
転写可能反射光学システムを製造する方法であって、前記方法は、
キャリア基板と剥離コーティングとから構成される剥離ライナーを提供し、
硬化性樹脂材料を前記剥離ライナーの前記剥離コーティングの表面に適用し、前記表面を硬質のアイコンモールドに対して硬化させて、前記硬化性樹脂材料の表面内に、空隙の形態での画像アイコンの１つ以上の配列を形成し、
前記硬化性樹脂材料とのコントラストを提供する材料を用いて前記空隙を充填して、充填された画像アイコン層を形成し、
前記充填された画像アイコン層の表面に硬化性樹脂材料を適用し、負レンズ形状を有する硬質の表面に対して樹脂を硬化させて、前記硬化性樹脂材料の表面上に集光要素の１つ以上の配列を形成し、
金属又はその他の反射材料のコンフォーマルコーティングを前記集光要素に適用して、反射集光要素の１つ以上の配列を形成し、
必要に応じて、１つ以上の保護コーティング層を前記反射集光要素の１つ以上の配列に適用し、
１つ以上の接着剤層を、反射集光要素の、１つ以上の必要に応じて保護コーティングされた配列に適用すること
を含む、方法。
【請求項１２】
表面に転写される光学システムであって、転写されるシステムは、請求項１に記載の光学システムと、強化層、シーリング層、着色又は染色層、不透明化層、活性化可能接着剤層、又はこれらの組み合わせの群から選択された、１つ以上の機能層とからなる、表面に転写される光学システム。
【請求項１３】
対向する面を有するシート材料であって、前記対向する面のうちの１つに転写された、少なくとも１つの、請求項１２に記載のシステムを備える、シート材料、及び／又は、
対向する面を有するシート材料であって、前記対向する面のうちの１つに転写された、少なくとも１つの、請求項１２に記載のシステムを備える、シート材料から作られた文書、及び／又は、
表面を有する消費者向け又は非消費者向け物品であって、その表面に、又は、前記物品と共に使用されるバッグ、パッケージ、又はラベルの表面に転写された、少なくとも１つの、請求項１２に記載の光学システムを有する、消費者向け又は非消費者向け物品、及び／又は、
大きな寸法の画像を投射する製品であって、その表面に転写された、少なくとも１つの、請求項１２に記載の光学システムを備え、ここで、前記製品は、広告及びマルチメディアディスプレー、車両の外観を向上させるための製品、装飾ラップ、壁紙、シャワーカーテン、及び芸術ディスプレー、の群から選択される、大きな寸法の画像を投射する製品。
【請求項１４】
約１〜約１０ミリメートルの範囲の幅／ベース直径を有する反射集光要素の１つ以上の配列と、前記集光要素の１つ以上の配列と実質的に接触するがそれらの中に完全に埋め込まれるわけではない、印刷された画像アイコンとを備え、前記印刷されたアイコンは約１ミリメートル以下の線幅を有し、ここで、集光要素及び画像アイコンの１つ以上の配列は、前記画像アイコンの少なくとも一部の、少なくとも１つの合成画像を協働して形成する、マクロスケール反射光学システム。
【請求項１５】
前記反射集光要素の１つ以上の配列は、約２５ミクロン〜約５ミリメートルの範囲の焦点距離と、１以下のｆ値とを有する、又は、
前記反射集光要素は、凹面反射集光要素、凸面反射集光要素、反射回折集光要素、及びこれらの組み合わせ、の群から選択される、請求項１４に記載のマクロスケール反射光学システム。